(57)【特許請求の範囲】
【請求項１】
容器体（１）内ガス圧を、大気圧よりも多少高圧としたエアゾール式液体噴出容器の頂壁中央部を貫通させ、かつ液体流出用ステム（２）を上方付勢させて起立させ、該ステム上部に嵌合させたノズル（３）付き押下げヘッド（４）の押下げによるステム（２）の下降で、該ステム下端に設けた吐出弁が開いて微量の液体がノズル（３）から流出可能に形成し、短筒（22）上端へ内向きフランジ（23）を付設し、該フランジ上面から被載置台（25）を起立させて設けたカバー（21）を、上記容器体の上端部へ嵌合させ、又上記押下げヘッド周壁（８）の下部外面へ載置板（12）を付設し、上記被載置台上へ載置板（12）下端を載置させた状態では、上記押下げヘッド（４）の押下げによるノズル（３）からの液体流出が不能に形成し、上記押下げヘッド周壁（８）前部からのノズル（３）突出部分と対向する周壁（８）後部から、ノズル（３）突出長さとほぼ同一長さの当接突部（11）を後方突出させると共に、上記カバー（21）の内向きフランジ（23）外周部からキャップ嵌合筒（24）を、上記載置板（12）を内方へ位置させて起立させ、又押下げヘッド（４）を覆合させたキャップ（31）の周壁（32）をキャップ嵌合筒（24）へ嵌合させ、該キャップ嵌合時にノズル（３）の前端面はキャップ周壁（32）の内面へ気密にかつ当接突部（11）後端面はキャップ周壁（32）の内面に、それぞれ当接可能に形成した
ことを特徴とする微量液体流出容器。
【請求項２】
上記押下げヘッド（４）のノズル（３）内へ、細菌流入防止用のフィルター（10）を嵌合させた
ことを特徴とする請求項１記載の微量液体流出容器。
【請求項３】
上記被載置台（25）の左右いずれか一方側面からストッパ（26）を起立すると共に、該ストッパを有しない側の側方に、小間隙（27）を隔てて被載置台（25）上面よりも高く係止台（28）を内向きフランジ（23）から起立させ、押下げヘッド（４）が上限に位置して載置板（12）がストッパ（26）と係止台（28）との間に位置する状態ではストッパ（26）と係止台（28）との間を載置板（12）が移動可能とし、かつ上記小間隙（27）上方へ載置板（12）が位置する状態では、容器体（１）に対する押下げヘッド（４）の押下げが可能に形成した
ことを特徴とする、請求項１、又は２記載の微量液体流出容器。
【発明の詳細な説明】
【技術分野】
【０００１】
本発明は点眼用等に用いることの出来る微量液体流出容器に関する。
【背景技術】
【０００２】
点眼容器を内外二層のデラミボトルで形成すると共に注出孔内方に防菌用フィルターを設けた液体吐出容器が知られている（特許資料１）。
【特許文献１】特開２００２−８００５５公報
【発明の開示】
【発明が解決しようとする課題】
【０００３】
上記容器は、容器体胴部圧搾により容器体内液体を流出させた後に胴部を解放すると容器体外層と内層との間に外気が流入して外層は弾性復元するが内層は圧縮されたままとなって、その内層内に外気が入ることがなく、又液体流出孔内方には防菌用フィルターが設けてあるため、容器体内液体が細菌により汚損されないよう設けている。
本発明も容器体内へ外気が入って容器体内液体中に外気と共に入った細菌が混入することがないよう設けたものである。
【課題を解決するための手段】
【０００４】
第１の手段として、容器体１内ガス圧を、大気圧よりも多少高圧としたエアゾール式液体噴出容器の頂壁中央部を貫通させ、かつ液体流出用ステム２を上方付勢させて起立させ、該ステム上部に嵌合させたノズル３付き押下げヘッド４の押下げによるステム２の下降で、該ステム下端に設けた吐出弁が開いて微量の液体がノズル３から流出可能に形成し、短筒22上端へ内向きフランジ23を付設し、該フランジ上面から被載置台25を起立させて設けたカバー21を、上記容器体の上端部へ嵌合させ、又上記押下げヘッド周壁８の下部外面へ載置板12を付設し、上記被載置台上へ載置板12下端を載置させた状態では、上記押下げヘッド４の押下げによるノズル３からの液体流出が不能に形成し、上記押下げヘッド周壁８前部からのノズル３突出部分と対向する周壁８後部から、ノズル３突出長さとほぼ同一長さの当接突部11を後方突出させると共に、上記カバー21の内向きフランジ23外周部からキャップ嵌合筒24を、上記載置板12を内方へ位置させて起立させ、又押下げヘッド４を覆合させたキャップ31の周壁32をキャップ嵌合筒24へ嵌合させ、該キャップ嵌合時にノズル３の前端面はキャップ周壁32の内面へ気密にかつ当接突部11後端面はキャップ周壁32の内面に、それぞれ当接可能に形成した。
【０００５】
第２の手段として、上記第１の手段を有すると共に上記押下げヘッド４のノズル３内へ、細菌流入防止用のフィルター10を嵌合させた。
【０００６】
第３の手段として上記第１又は第２の手段を有するとともに、上記被載置台25の左右いずれか一方側面からストッパ26を起立すると共に、該ストッパを有しない側の側方に、小間隙27を隔てて被載置台25上面よりも高く係止台28を内向きフランジ23から起立させ、押下げヘッド４が上限に位置して載置板12がストッパ26と係止台28との間に位置する状態ではストッパ26と係止台28との間を載置板12が移動可能とし、かつ上記小間隙27上方へ載置板12が位置する状態では、容器体１に対する押下げヘッド４の押下げが可能に形成した。
【発明の効果】
【０００９】
第１の手段のようにすることで、エアゾール容器体内ガス圧は大気圧によりやや高くした程度であるからヘッド押下げによりノズルから流出する液体は僅か宛流出することとなり、よってその流出液体を滴下させて眼内等に落とすことが出来、又容器体内ガス圧で液体を流出させるから、液体滴下終了後に外気が容器体内へ流入するおそれはなく、よって外気と共に細菌が容器体内へ入ることもない。また、押下げヘッドの押下げを不能とする安全装置を設けることが出来る。更に、キャップ内で押下げヘッドを固定でき、ノズル孔を気密に閉塞できる。
【００１０】
第２の手段のようにすることで、細菌がノズル内へ入ることがなく、該ノズル内を通って容器体内へ入ることもない。
【００１２】
第３の手段のようにすることで、安全装置のオン、オフの切換えを簡易にし、誤作動を防止することが出来る。
【発明を実施するための最良の形態】
【００１４】
以下図面について説明すると、１はエアゾール式の容器体で該容器体頂壁中央からは該頂壁を貫通させてステム２が起立させてあり、該ステム上部へノズル３付きの押下げヘッド４が嵌合させている。該押下げヘッドは、頂壁５の中央部下面からステム２の上部外面へ嵌合させて連通筒６を垂下させ、該連通筒上端から頂壁５下面に沿ってノズル筒７を前方突出させ、該ノズル筒前端部を周壁８前面から僅かに前方突出させてノズル３としている。
【００１５】
ステムは公知のように上方付勢させて設け、かつ下端へ吐出弁を設けて押下げヘッドを付勢に抗して押下げすると吐出弁が開き、容器体内の高圧化された液体ノズル３を通って流出可能としている。
【００１６】
本発明では、容器体内を大気圧よりも多少高圧化させ、上記押下げヘッド押下げによるステムの下降でゆるやかにノズルから流出するよう設けており、そのガス圧は約1.5 〜３kg/cm2程度とすればよい。ノズル３は周壁前面から前方突出させて設けてあり、該ノズル
内へは細菌流入防止用のフィルター10を嵌合させている。該フィルターはノズル筒７内まで延長させてもよい。ノズル突出部分と対向する周壁後部からは、ノズル突出長さとほぼ同一長さの当接突部11を後方突出させている。
【００１７】
又周壁８の下部外面へは載置板12を縦設している。容器体の上端部外面へはカバー21を嵌合させている。該カバーは容器体周壁の上部外面へ嵌合させた短筒22の上端に内向きフランジ23を付設し、該フランジ外周部からキャップ嵌合筒24を起立させると共に、そのキャップ嵌合筒内方の内向きフランジ上面一部から被載置台25を起立させ、又該被載置台の左右一方の側面からはストッパ26を起立させており、該ストッパを有しない側の側方からは、図４が示すように小間隙27を隔てて係止台28を起立させている。該係止台はストッパと同様に被載置台25上面よりも高く起立させている。既述載置板12下端面は被載置台25の上面へ載置可能に設けてあり、該載置状態からストッパ26の方向へ押下げヘッドを回動させようとしてもストッパ26に接して回動を阻止され、又小間隙27上方へ載置板を位置させた状態では押下げヘッド４を介してのステム２押下げで液体流出させることが出来、更に続けて回したとき、係止台28に載置板12が接して回動が阻止される。
【００１８】
31はキャップで、押下げヘッド４を覆って頂壁外周から垂下させたキャップ周壁32下部を既述キャップ嵌合筒24外面へ螺合させている。該キャップは図示のようにキャップ周壁下部を除いて、その上部内面にエラストマー等の軟材質で形成した内キャップ33を嵌着させており、キャップ周壁32をキャップ嵌合筒24へ螺合させたとき、ノズル３の前端面は内キャップ周壁の内壁面へ気密ないし水密に、又当接突部11の後端面も内キャップ周壁の内壁面へ、それぞれ当接するよう設けている。
【００１９】
上記構成において、例えば容器体内へ目薬を入れ、点滴する場合は、まずキャップ31を外し、容器体を傾けてノズル３を眼上方へ位置させ、該状態で押下げヘッド４の頂壁５を押下げする。するとステム２下方の吐出弁が開くことで僅かに高圧化されている目薬をノズル３から滴下させることが出来る。
【００２０】
容器使用後は再びキャップ31を嵌合させる。該キャップ嵌合状態でノズル前端面は内キャップ周壁の内壁面へ気密ないし水密に接し、又当接突部11の後端面も内キャップ周壁内面へ当接することとなり、よって押下げヘッド４はキャップ内に確実に保持されることとなる。
【図面の簡単な説明】
【００２１】
【図１】要部を断面として示す、本発明容器の側面図である。
【図２】キャップを外した状態で示す、図１容器の平面図である。
【図３】図２の状態から押下げ位置まで押下げヘッドを回した状態で示す平面図である。
【図４】容器体上部へ嵌着させたカバーに対する、押下げヘッドの押下げ防止用安全装置の説明図である。
【符号の説明】
【００２２】
１  容器体              ２  ステム
３  ノズル              ４  押下げヘッド
10  フィルター          12  載置板              
21  カバー              24  キャップ嵌合筒
25  被載置台            26  ストッパ
27  小間隙              28  係止台
31  キャップ            33  内キャップ
【図１】
0004827092.tif 000002
【図２】
0004827092.tif 000003
【図３】
0004827092.tif 000004
【図４】
0004827092.tif 000005